(57)【要約】本発明は、一時番号を用いて接続先と接続し通信を行うことができるようにする。本発明は、一時番号ユーザ端末（１００）がＳＩＰアカウントサーバ（３００）から取得した一時番号をＳＩＰプロキシサーバ（４００）に登録し、一時番号を用いて接続先ユーザ端末（２００）と接続し、通信を行う。通信終了後、一時番号はＳＩＰプロキシサーバ（４００）から削除することにより、接続先ユーザ端末（２００）からの接続ができないようにする。また、一時番号を用いた接続の有効期間、接続可能回数、接続可能な接続先などを指定して接続条件を設け、接続条件を満たす呼のみを受け付けるようにし、一時番号の用途を限定することができる。
2009017181.tif 000002
【特許請求の範囲】
【請求項１】
ＳＩＰ（Ｓｅｓｓｉｏｎ  Ｉｎｉｔｉａｔｉｏｎ  Ｐｒｏｔｏｃｏｌ）で呼制御される伝送品質予約可能な通信網経由で一時接続番号を用いて第１の端末と第２の端末とを接続する一時接続番号管理システムであって、
上記第１の端末からの要求に応じて上記一時接続番号を上記第１の端末に対して発行する一時接続番号発行装置と、
上記第１の端末から送信された上記一時接続番号が登録されるＳＩＰプロキシサーバとを具え、
上記第１の端末は、
上記一時接続番号発行装置に上記一時接続番号の発行を要求する一時接続番号要求手段と、
上記一時接続番号要求手段による要求に応じて上記一時接続番号発行装置から発行された上記一時接続番号を上記ＳＩＰプロキシサーバに登録する登録手段と、
上記一時接続番号を上記第２の端末に通知する通知手段と、
上記一時接続番号を用いて上記ＳＩＰプロキシサーバ経由で上記第２の端末と通信を行う通信制御手段と、
上記ＳＩＰプロキシサーバに登録された上記一時接続番号を削除する削除手段と、
を具えることを特徴とする一時接続番号管理システム。
【請求項２】
上記一時接続番号を用いて上記第２の端末と接続するときの条件を記憶する条件記憶手段をさらに具え、
上記条件を満たす場合にのみ上記第１の端末と上記第２の端末とが通信を行う
ことを特徴とする請求項１に記載の一時接続番号管理システム。
【請求項３】
ＳＩＰ（Ｓｅｓｓｉｏｎ  Ｉｎｉｔｉａｔｉｏｎ  Ｐｒｏｔｏｃｏｌ）で呼制御される伝送品質予約可能な通信網経由で一時接続番号発行装置が発行する一時接続番号を用いて接続先端末と接続する端末であって、
上記一時接続番号発行装置に上記一時接続番号の発行を要求する一時接続番号要求手段と、
上記一時接続番号要求手段による要求に応じて上記一時接続番号発行装置から発行された上記一時接続番号をＳＩＰプロキシサーバに登録する登録手段と、
上記一時接続番号を上記接続先端末に通知する通知手段と、
上記一時接続番号を用いて上記ＳＩＰプロキシサーバ経由で上記接続先端末と通信を行う通信制御手段と、
上記ＳＩＰプロキシサーバに登録された上記一時接続番号を削除する削除手段と、
を具えることを特徴とする端末。
【請求項４】
ＳＩＰ（Ｓｅｓｓｉｏｎ  Ｉｎｉｔｉａｔｉｏｎ  Ｐｒｏｔｏｃｏｌ）で呼制御される伝送品質予約可能な通信網経由で一時接続番号を用いて第１の端末と第２の端末とを接続する一時接続番号管理システムにおける上記第１の端末の一時接続番号管理方法であって、
一時接続番号要求手段により一時接続番号発行装置に上記一時接続番号の発行を要求する一時接続番号要求ステップと、
登録手段により上記一時接続番号要求ステップにおける要求に応じて上記一時接続番号発行装置から発行された上記一時接続番号をＳＩＰプロキシサーバに登録する登録ステップと、
通知手段により上記一時接続番号を上記第２の端末に通知する通知ステップと、
通信制御手段により上記一時接続番号を用いて上記ＳＩＰプロキシサーバ経由で上記第２の端末と通信を行う通信制御ステップと、
削除手段により上記ＳＩＰプロキシサーバに登録された上記一時接続番号を削除する削除ステップと、
を具えることを特徴とする一時接続番号管理方法。
【請求項５】
コンピュータに対して、
一時接続番号発行装置に上記一時接続番号の発行を要求する一時接続番号要求ステップと、
上記一時接続番号要求ステップにおける要求に応じて上記一時接続番号発行装置から発行された上記一時接続番号をＳＩＰプロキシサーバに登録する登録ステップと、
上記一時接続番号を接続先の端末に通知する通知ステップと、
上記一時接続番号を用いて上記ＳＩＰプロキシサーバ経由で上記接続先の端末と通信を行う通信制御ステップと、
上記ＳＩＰプロキシサーバに登録された上記一時接続番号を削除する削除ステップと、
を実行させることを特徴とする一時接続番号管理プログラム。
【発明の詳細な説明】
【技術分野】
【０００１】
本発明は、一時接続番号管理システム、端末、一時接続番号管理方法、および一時接続番号管理プログラムに関し、例えば一時的な接続番号を用いて相手に自分の固有の電話番号等の接続番号を知られることなく相手との間で通信や通話を行う場合に適用して好適なものである。
【背景技術】
【０００２】
従来、ユーザの電話装置からセンター装置に対して仮番号の発行を要求すると、センター装置が所定桁数からなる仮番号を発行し、電話装置に通知し、その際に、仮番号と電話装置の電話番号とを対応付けて変換テーブルに登録する。そして、ユーザは、センター装置から通知された仮番号を相手に教え、相手が仮番号の前に特定の番号を付けて電話をかけると、センター装置の変換テーブルから仮番号に対応する電話番号が検索されてユーザの電話装置に転送され、相手からの電話を仮番号により受けることができる電話番号配布システムが提案されている。このシステムによれば、自分の電話番号を相手に教えることなく、相手から電話を受けることができる（例えば、特許文献１参照）。
また、近年、従来の回線交換式の電話回線網をＩＰ（Ｉｎｔｅｒｎｅｔ  Ｐｒｏｔｏｃｏｌ）技術をベースにしたネットワークに置き換える、次世代ネットワーク（Ｎｅｘｔ  Ｇｅｎｅｒａｔｉｏｎ  Ｎｅｔｗｏｒｋ；以下、ＮＧＮと称する）の構築に向けた動きが活発化している。ＮＧＮは、ネットワーク自体に帯域保証機能やセキュリティ機能を備え、ＳＩＰ（Ｓｅｓｓｉｏｎ  Ｉｎｉｔｉａｔｉｏｎ  Ｐｒｏｔｏｃｏｌ；セッション開始プロトコル）を用いてセッション制御を行う。
【特許文献１】特開２００２−２６１９３５公報。
【特許文献２】特開２００６−２７０８００公報。
【０００３】
ところで上述した特許文献１に記載の電話番号配布システムでは、通話を転送する装置が必要になり、仮番号を用いた着信は可能だが発信は不可能という制約がある上に、仮番号への着信に対する条件がつけられないため、柔軟な運用が難しいという問題があった。
また、特許文献２に記載の電話番号管理装置では、仮番号を用いた発信と接続条件設定が可能であるが、仮番号と正規番号の検索と通話の転送を集権的に行う装置が必要となり、多大な負荷と運用の硬直性の恐れがある。
【発明の開示】
【０００４】
本発明は以上の点を考慮してなされたもので、自分の固有の接続番号を知られることなく、一時的な接続番号を用いて相手に電話をかけたり、相手からの電話を受けることができ、その接続番号で相手と接続する接続条件を設定できる、次世代ネットワーク（ＮＧＮ）およびその端末から構成される一時接続番号管理システムを提案しようとするものである。
かかる課題を解決するため本発明においては、ＳＩＰ（Ｓｅｓｓｉｏｎ  Ｉｎｉｔｉａｔｉｏｎ  Ｐｒｏｔｏｃｏｌ）で呼制御される伝送品質予約可能な通信網経由で一時接続番号を用いて第１の端末と第２の端末とを接続する一時接続番号管理システムであって、上記第１の端末からの要求に応じて上記一時接続番号を上記第１の端末に対して発行する一時接続番号発行装置と、上記第１の端末から送信された上記一時接続番号が登録されるＳＩＰプロキシサーバとを具え、上記第１の端末は、上記一時接続番号発行装置に上記一時接続番号の発行を要求する一時接続番号要求手段と、上記一時接続番号要求手段による要求に応じて上記一時接続番号発行装置から発行された上記一時接続番号を上記ＳＩＰプロキシサーバに登録する登録手段と、上記一時接続番号を上記第２の端末に通知する通知手段と、上記一時接続番号を用いて上記ＳＩＰプロキシサーバ経由で上記第２の端末と通信を行う通信制御手段と、上記ＳＩＰプロキシサーバに登録された上記一時接続番号を削除する削除手段とを設けるようにした。
これにより、ユーザは固有の接続番号を相手に知られることなく、一時的な接続番号を用いて相手と通信を行い、一時番号を適宜削除することができる。
本発明によれば、ユーザは固有の接続番号を相手に知られることなく、相手と通信を行い、相手との接続条件を設定して、相手との接続を限定することができる一時接続番号管理システムを実現することができる。
【図面の簡単な説明】
【０００５】
図１は、一時接続番号管理システムの構成を示す略線図である。
図２は、一時接続番号管理システムの動作手順を示す略線図である。
図３は、一時番号接続手順を示す図である。
図４は、一時番号ユーザ端末の構成を示す略線図である。
図５は、ユーザ端末内の接続処理手順（接続成功）を示すシーケンス図である。
図６は、ユーザ端末内の接続処理手順（着信拒否）を示すシーケンス図である。
図７は、ネットワークアプリ経由での接続手順を示す略線図である。
図８は、一時番号ユーザ端末の画面表示例を示す略線図である。
図９は、ＮＦＣ機能を持った携帯電話機を用いた例の説明に供する略線図である。
【符号の説明】
【０００６】
１……一時接続番号管理システム、１００……一時番号ユーザ端末、２００……接続先ユーザ端末、３００……ＳＩＰアカウントサーバ、４００……ＳＩＰプロキシサーバ、５００……ネットワーク、１１０……ユーザアプリ、１１１……一時番号アプリ、１１２……電話アプリ、１２０……番号登録部、１３０……接続条件管理部、１４０……接続制御部、１８０、２８０……ユーザエージェント、１９１……メール入力欄、１９２……電話番号入力欄、１９３……カーソル、１９４……送信ボタン、１９５……ボタン、６００……ＮＦＣ機能付き携帯電話機、６１０……ＮＦＣ送受信部、６８０、７８０……ユーザエージェント、７１０……ＮＦＣ送受信機
【発明を実施するための最良の形態】
【０００７】
以下、図面について、本発明の一実施の形態を詳述する。
（１）一時接続番号管理システムの全体構成
図１において、１は全体として一時接続番号管理システムを示している。一時接続番号管理システム１は、一時番号ユーザ端末（以下では適宜ユーザ端末と記載する）１００と、接続先ユーザ端末２００と、ＳＩＰ（Ｓｅｓｓｉｏｎ  Ｉｎｉｔｉａｔｉｏｎ  Ｐｒｏｔｏｃｏｌ）アカウントサーバ３００と、ＳＩＰプロキシサーバ（ＳＩＰ  ｐｒｏｘｙ）４００とがネットワーク（ＮＧＮ（Ｎｅｘｔ  Ｇｅｎｅｒａｔｉｏｎ  Ｎｅｔｗｏｒｋ））５００に接続された構成となっている。次世代ネットワーク（ＮＧＮ）５００は、ＳＩＰを用いてセッション制御を行う通信網である。
本システムにおいて、ＳＩＰアカウントサーバ３００、ユーザ端末１００、および接続先ユーザ端末２００は、ＳＩＰユーザエージェントクライアント（Ｕｓｅｒ  Ａｇｅｎｔ  Ｃｌｉａｎｔ；ＳＩＰ  ＵＡＣ）として動作する。ＳＩＰ  ＵＡＣは、ＳＩＰリクエストを生成・送信し、応答を受信・処理するＳＩＰユーザエージェントである。
また、ＳＩＰプロキシサーバ４００は、これらのＳＩＰ  ＵＡＣから送信されるＳＩＰリクエストを受信・処理し、応答を生成・送信するＳＩＰユーザエージェントサーバとして動作する。以下の説明においてＳＩＰ  ＵＡＣまたはＵＡＣという場合、ＳＩＰアカウントサーバ３００、ユーザ端末１００、および接続先ユーザ端末２００を指すものとする。
なお、ユーザ端末１００および接続先ユーザ端末２００は、それぞれ複数であってもよいが、以下では、説明の簡単化のためにそれぞれ１つとして説明する。ユーザ端末１００および接続先ユーザ端末２００は、それぞれＳＩＰプロキシサーバ４００に対して自分の情報をＲＥＧＩＳＴＥＲメソッドを用いて登録する。登録する情報は、例えば、ユーザ端末１００および接続先ユーザ端末２００のＳＩＰ  ＵＲＩ（Ｕｎｉｆｏｒｍ  Ｒｅｓｏｕｒｃｅ  Ｉｄｅｎｔｉｆｉｅｒ）とＩＰアドレス等である。
ＳＩＰアカウントサーバ３００は、ユーザ端末１００から一時番号（一時接続番号）の取得要求があったとき、一時番号を発行するようになされている。ＳＩＰプロキシサーバ４００は、ＳＩＰメッセージの転送（ルーティング）を行うサーバである。ＳＩＰヘッダに含まれる受信先アドレスをキーとして場所サーバに問い合わせを行い、受信先のＩＰ（Ｉｎｔｅｒｎｅｔ  Ｐｒｏｔｏｃｏｌ）アドレスを取得し、取得したＩＰアドレスに基づいてメッセージの転送先を決定する。転送先は受信先のＩＰアドレスか、または他のＳＩＰプロキシサーバである。このメッセージ・ルーティングの方法はＳＭＴＰ（Ｓｉｍｐｌｅ  Ｍａｉｌ  Ｔｒａｎｓｆｅｒ  Ｐｒｏｔｏｃｏｌ）によるメールのルーティングと同様である。ＳＩＰにおいて電話番号に相当するものがＳＩＰ  ＵＲＩであり、メールアドレスと同様の形式「名前＠ドメイン」となっている。先頭には「ｓｉｐ：」が付加される。例えば、「ｓｉｐ：ｘｘｘ＠ｍａｉｌ．ｃｏｍ」となる。
図２は、本システムの動作手順を示す図である。まず、ユーザ端末１００がＳＩＰアカウントサーバ３００に対して一時番号を要求すると、ＳＩＰアカウントサーバ３００は、ユーザ端末１００に対して一時番号を送信する。
次に、ユーザ端末１００は、ＳＩＰプロキシサーバ４００に対してＲＥＧＩＳＴＥＲメソッドを用いて自分の情報を登録する。即ち、ＳＩＰアカウントサーバ３００より発行された一時番号とユーザ端末１００のＩＰアドレス等がＳＩＰプロキシサーバ４００の図示しないデータベースに登録される。
次に、ユーザ端末１００は、ＳＩＰプロキシサーバ４００を介して接続先ユーザ端末２００に一時番号を通達する。接続先ユーザ端末２００は、ユーザ端末１００から通達された一時番号を登録し、その一時番号を用いてユーザ端末１００に接続要求する。即ち、ＩＮＶＩＴＥメソッドをＳＩＰプロキシサーバ４００に送信し、ユーザ端末１００への接続要求を行う。ＳＩＰプロキシサーバ４００はこのＩＮＶＩＴＥメソッドによる接続要求から一時番号に対応するＩＰアドレスをデータベースを参照して検索し、そのＩＰアドレスに対応するユーザ端末１００に送信する。
ユーザ端末１００は、ＳＩＰプロキシサーバ４００を介して接続先ユーザ端末２００からの接続要求を受けると、後述する接続条件を参照し、接続条件を満たす場合には、接続ＯＫを接続先ユーザ端末２００にＳＩＰプロキシサーバ４００を介して送信する。その後、接続先ユーザ端末２００とユーザ端末１００との間で通話が開始される。
図３は、ユーザ端末１００が一時番号を用いて接続先ユーザ端末２００と接続される詳細な手順を示している。まず、ステップＳＴ１において、一時番号ユーザ端末１００は、ＳＩＰアカウントサーバ３００に対して一時番号を要求する。ステップＳＴ２において、ＳＩＰアカウントサーバ３００は、接続先ユーザ端末２００に対して一時番号を送信する。
次に、ステップＳＴ３において、接続先ユーザ端末２００は、ＳＩＰプロキシサーバ４００にＲＥＧＩＳＴＥＲメソッドを用いて自分の情報を登録する。即ち、ＳＩＰアカウントサーバ３００から取得した一時番号と接続先ユーザ端末２００のＩＰアドレスを登録する。
次に、ステップＳＴ４において、接続先ユーザ端末２００は、ＳＩＰプロキシサーバ４００を介して、一時番号をユーザ端末１００に通達する。ステップＳＴ５において、ユーザ端末１００は、接続先ユーザ端末２００から通達された一時番号を用いて、接続先ユーザ端末２００に接続する。即ち、ＩＮＶＩＴＥメソッドを用いてＳＩＰプロキシサーバ４００に接続要求を行う。
ステップＳＴ６においては、ＳＩＰプロキシサーバ４００は、接続先ユーザ端末２００から送信されてきたＩＮＶＩＴＥメソッドを一時番号ユーザ端末１００に転送する。
ステップＳＴ７において、ＳＩＰプロキシサーバ４００から転送されてきたＩＮＶＩＴＥメソッドによる接続要求を受けた一時番号ユーザ端末１００は、接続条件を参照して接続可能か否かを判断し、接続可能であれば接続ＯＫをＳＩＰプロキシサーバ４００を介して接続先ユーザ端末２００に送信する。
その後、ステップＳＴ８において、一時番号ユーザ端末１００と、一時番号ユーザ端末１００から接続ＯＫを受信した接続先ユーザ端末２００とは接続され、通話が開始される。一時番号は、一時番号ユーザ端末１００によりＵＮＲＥＧＩＳＴＥＲメソッドを用いてＳＩＰプロキシサーバ４００から適宜削除される。これにより、接続先ユーザ端末２００からは、一時番号を用いたユーザ端末１００への接続ができなくなる。ユーザ端末１００は、接続先ユーザ端末２００に対して、自分のＳＩＰアドレスを通知していないので、一時番号を削除した後は、接続先ユーザ端末２００から接続されることはない。
図４は、一時番号ユーザ端末１００の構成例を示している。同図に示すように、一時番号ユーザ端末１００は、一時番号アプリ１１１および電話アプリ１１２とを含み、一時番号取得処理および通話処理を行うユーザアプリ１１０と、一時番号アプリ１１１からの指示に従ってＳＩＰアカウントサーバ３００に対して一時番号を要求し、取得する番号登録部１２０と、ＳＩＰアカウントサーバ３００から取得した一時番号をＳＩＰプロキシサーバ４００に対して登録および削除するとともに呼制御を行う接続制御部１４０と、接続条件を記憶する接続条件管理部１３０とから構成されている。接続条件管理部１３０に記憶された接続条件は接続制御部１４０によって適宜参照されるようになされている。また、一時番号アプリ１１１は、番号登録部１２０から取得した一時番号をＳＩＰプロキシサーバ４００を介して接続先ユーザ端末２００に通知するようになされている。また、電話アプリ１１２は、接続先ユーザ端末２００との間の通話処理を制御するようになされている。
ユーザアプリ１１０は、一時番号ユーザ端末１００全体を制御するアプリケーションであり、ユーザの操作から通話先の指定や一時番号の利用の指定など、ユーザからの指定を直接受け付けるようになされている。
一時番号アプリ１１１は、一時番号の使用、接続条件の設定、一時番号の接続先ユーザ端末２００への伝達等の制御を行うようになされている。ユーザアプリ１１０から呼び出されるプラグインアプリとすることができる。
電話アプリ１１２は、音声、映像、文字情報などの情報を接続先ユーザ端末２００との間で送受信（通話を含む）するアプリケーションであり、ユーザアプリ１１０と独立な場合とユーザアプリ１１０に組み込まれる場合があり得る。
番号登録部１２０は、一時番号を含む接続番号の登録および削除処理を行うようになされており、一時番号をＳＩＰアカウントサーバ３００から取得し記憶するとともに、一時番号アプリ１１１に取得した一時番号を供給するようになされている。
接続制御部１４０は、番号登録部１２０に記憶されている一時番号を読み出し、この一時番号をＳＩＰプロキシサーバ４００に登録したり、登録した一時番号を削除したり、接続要求、確立、切断等の通話のための接続制御（シグナリング）を行うようになされている。
接続条件管理部１３０は、一時番号を用いて、接続先ユーザ端末２００との間で音声、映像、文字情報等を送受信するときの接続条件、例えば、一時番号を用いた接続の有効期間、接続可能回数、接続可能な接続先などを保持し、適宜、接続制御部１４０から参照されるようになされている。
図５は、一時番号ユーザ端末１００内における接続成功時の接続処理手順を示している。まず、ステップＳＴ２１において、ユーザアプリ１１０の一時番号アプリ１１１は、番号登録部１２０に対して一時番号を要求する。ステップＳＴ２２において、番号登録部１２０は、ＳＩＰアカウントサーバ３００に対して一時番号を要求し、取得した一時番号を一時番号アプリ１１１に供給する。
次に、ステップＳＴ２３において、ユーザアプリ１１０は、接続条件管理部１３０に対して一時番号による接続が可能な接続条件を設定する。次に、ステップＳＴ２４において、ユーザアプリ１１０の一時番号アプリ１１１は、接続先ユーザ端末２００に対してＳＩＰプロキシサーバ４００を介して一時番号を通達する。
また、番号登録部１２０は、接続制御部１４０を介してＳＩＰプロキシサーバ４００に取得した一時番号を登録する。
次に、ステップＳＴ２５において、接続制御部１４０は、接続先ユーザ端末２００から一時番号を用いた接続要求を受けると、ステップＳＴ２６において、接続条件管理部１３０に記憶されている接続条件を参照し、ステップＳＴ２７において、接続条件管理部１３０から接続条件を満たすことを示す条件ＯＫ（着呼ＯＫ）の応答を受けると、ステップＳＴ２８において、ユーザアプリ１１０に対して着呼通知を行う。
ユーザが着呼通知を受けて着信ＯＫを指示すると、ステップＳＴ２９においては、ユーザアプリ１１０により、着信ＯＫを示すデータが接続制御部１４０に供給される。ステップＳＴ３０において、このデータを受けた接続制御部１４０は、ＳＩＰプロキシサーバ４００を介して接続先ユーザ端末２００に着信ＯＫを示すデータを送信する。これにより、ステップＳＴ３１において、一時番号ユーザ端末１００と接続先ユーザ端末２００とが接続され、通話が開始される。
図６は、一時番号ユーザ端末１００内における着信拒否時の接続処理手順を示している。まず、ステップＳＴ５１において、ユーザアプリ１１０の一時番号アプリ１１１は、番号登録部１２０に対して一時番号を要求する。ステップＳＴ５２において、番号登録部１２０は、ＳＩＰアカウントサーバ３００に対して一時番号を要求し、取得した一時番号を一時番号アプリ１１１に供給する。
次に、ステップＳＴ５３において、ユーザアプリ１１０は、接続条件管理部１３０に対して一時番号による接続が可能な接続条件を設定する。次に、ステップＳＴ５４において、ユーザアプリ１１０の一時番号アプリ１１１は、接続先ユーザ端末２００に対してＳＩＰプロキシサーバ４００を介して一時番号を通達する。
また、番号登録部１２０は、接続制御部１４０を介してＳＩＰプロキシサーバ４００に取得した一時番号を登録する。
次に、ステップＳＴ５５において、接続制御部１４０は、接続先ユーザ端末２００から一時番号を用いた接続要求（接続呼）を受けると、ステップＳＴ５６において、接続条件管理部１３０に記憶されている接続条件を参照し、ステップＳＴ５７において、接続条件管理部１３０から接続条件を満たさないこと（例えば、接続可能な接続先とは異なる接続先であったり、有効期間外であったり、同一相手先に接続可能な接続回数を超えているなどにより接続条件を満たさないこと）を示す条件ＮＧ（着呼ＮＧ）の応答を受けると、ステップＳＴ５８において、接続先ユーザ端末２００に対して着呼ＮＧをＳＩＰプロキシサーバ４００を介して送信する。
図７は、ネットワークアプリ経由での接続手順を示す図である。ユーザ端末１００を用いて、接続先のＷｅｂサイトを閲覧中に、Ｗｅｂページ内に表示された、例えば通話開始を指示するためのボタン１９５に図示しないマウス等を用いてカーソル１９３を移動させ、図示しないマウスの左ボタンをクリックすると、Ｗｅｂサイトによるイベント監視プログラムによりクリックされたこと（イベント）が認識され、ステップＳＴ１０１において、ユーザエージェント（ＵＡ１）１８０に接続先ユーザ端末２００の情報（メールアドレスやＩＰアドレス等）と接続条件（ＣＰＬ）が追加される。
次に、ステップＳＴ１０２において、ユーザエージェント（ＵＡ１）１８０のバックグラウンド処理により、ＳＩＰアカウントサーバ３００から一時番号が取得される。ステップＳＴ１０３においては、取得された一時番号がＳＩＰプロキシサーバ４００に登録される。また、ステップＳＴ１０４において、接続先ユーザ端末２００のユーザエージェント（ＵＡ２）２８０に対してＳＩＰプロキシサーバ４００を介してＨＴＴＰＳ（Ｈｙｐｅｒｔｅｘｔ  Ｔｒａｎｓｆｅｒ  Ｐｒｏｔｏｃｏｌ  Ｓｅｃｕｒｉｔｙ）等により一時番号の通知が行われる。
次に、ステップＳＴ１０５において、一時番号ユーザ端末１００と接続先ユーザ端末２００とが接続され、通話が行われる。通話終了後、接続条件に従って自動的に、またはユーザからの指示により、ユーザエージェント（ＵＡ１）１８０がＳＩＰプロキシサーバ４００から一時番号を削除する。ここでは通話をする場合について述べたが、音声、映像、文字情報等の少なくともいずれかを送受信することもできる。また、通話をしなくてもユーザからの指示により、ユーザエージェント（ＵＡ１）１８０がＳＩＰプロキシサーバ４００から一時番号を削除することもできる。
図８は、図７に示したＷｅｂサイトの画面例である。この例では、旅行サイトで提供されている旅行プランに対する問い合わせを、一時番号を用いて行う手順を示している。まず、図８（ａ）に示すように、連絡先フォームを構成するメール入力欄１９１にメールアドレス（この例では、「ｘｘｘ＠ｍａｉｌ．ｃｏｍ」）を入力する。
次に、図８（ｂ）に示すように、連絡先フォームを構成する電話番号入力欄１９２に自分の電話番号を入力する。このとき、カーソル１９３を電話番号入力欄に移動させて右クリックするとプルダウンメニュー１９６が表示されるので、プルダウンメニュー１９６の中の項目「一時番号入力」にカーソル１９３を移動させて選択し、クリックすると、一時番号による接続が選択され、プルダウンメニュー１９７が表示される。プルダウンメニュー１９７の最初の項目として、規定値である「単一接続（最大１日）」という接続条件が表示され、次の項目として「その他設定」が表示される。規定値を設定する場合には項目「単一接続（最大１日）」にカーソルを移動させてクリックすることにより規定値が設定される。一方、他の接続条件を細かく設定したいときは、プルダウンメニュー１９７の中の項目「その他の設定」をクリックすることにより他の詳細な条件を設定することができる。この例では、項目「一時番号入力」が選択され、一時番号として「ｓｉｐ：ａｅｋｂ７８ｋｂｅ＠ｍａｉｌ．ｃｏｍ」が割り当てられる。
次に、送信ボタン１９４をクリックすると、一時番号がＳＩＰプロキシサーバ４００に登録されるとともに、この旅行サイトを運営する接続先ユーザ端末２００に一時番号が通知される。これにより、一時番号を用いて接続先ユーザ端末２００にメールを送信したり、通話を行うことができる。また、接続先ユーザ端末２００からもユーザ端末１００に一時番号を用いてメールを送信したり、通話を行うことができる。
（２）動作および効果
以上の構成において、一時番号ユーザ端末１００は、ＳＩＰアカウントサーバ３００から取得した一時番号をＳＩＰプロキシサーバ４００に登録することにより、一時番号を用いて接続先ユーザ端末２００と接続し、通信を行うことができる。また、一時番号をＳＩＰプロキシサーバ４００から削除することにより、接続先ユーザ端末２００からの接続ができないようにすることができる。また、一時番号を用いた接続の有効期間、接続可能回数、接続可能な接続先などを指定して接続条件を設け、接続条件を満たす呼のみを受け付けるようにすることにより、一時番号の用途を限定することができる。
以上の構成によれば、一時番号ユーザ端末１００は、ＳＩＰアカウントサーバ３００から取得した一時番号を用いてＳＩＰプロキシサーバ４００を介して接続先ユーザ端末２００と接続することができ、また、任意の接続条件を設定することができるので、接続先ユーザ端末２００との間で限定された安全な通信を行うことが可能になる。
（３）他の実施の形態
なお上述の実施の形態においては、接続情報や接続条件の取得にＮＧＮを用いるようにした場合について述べたが、本発明はこれに限らず、接続情報や接続条件の取得にＦｅｌｉＣａやＲＦＩＤ（Ｒａｄｉｏ  Ｆｒｅｑｕｅｎｃｙ  Ｉｄｅｎｔｉｆｉｃａｔｉｏｎ）などの近距離無線通信（Ｎｅａｒ  Ｆｉｅｌｄ  Ｃｏｍｍｕｎｉｃａｔｉｏｎ：ＮＦＣ）による通信を用いるようにすることもできる。例えば、図９に示すように、ユーザが接続先店舗７００を訪れたときに、接続先店舗７００に設置された接続先ユーザ端末７７０に接続されたＮＦＣ送受信機７１０に、ＮＦＣによる通信が可能な携帯電話機６００のＮＦＣ送受信部６１０をタッチさせ、ＮＦＣ送受信機７１０から接続情報や接続条件を読み取り、ユーザエージェント（ＵＡ）６８０に設定する（ステップＳＴ２０１）。また、バックグラウンド処理により、一時番号をＳＩＰアカウントサーバ３００から取得し（ステップＳＴ２０２）、取得した一時番号をＳＩＰプロキシサーバ４００に登録する（ステップＳＴ２０３）とともに、接続先店舗７００の接続先ユーザ端末７７０のユーザエージェント（ＵＡ）７８０に対してＳＩＰプロキシサーバ４００を介してＨＴＴＰＳ等により一時番号を通知する（ステップＳＴ２０４）。
次に、携帯電話機６００と接続先ユーザ端末７７０とが接続され、通話（音声、映像、文字データ等の少なくともいずれかを送受信する場合を含む）が行われる（ステップＳＴ２０５）。通話終了後、接続条件に従って自動的に、またはユーザからの指示により、ユーザエージェント（ＵＡ）６８０がＳＩＰプロキシサーバ４００から一時番号を削除する。通話をしなくてもユーザからの指示により、ユーザエージェント（ＵＡ）６８０がＳＩＰプロキシサーバ４００から一時番号を削除することもできる。
また上述の実施の形態においては、一時番号ユーザ端末１００を用いるようにした場合について述べたが、本発明はこれに限らず、携帯電話機やその他の携帯端末を用いるようにしても良い。また、上記実施の形態においては、通話等を行った後に一時番号が自動的に削除されるようにしたが、通話等がなくてもユーザが適宜一時番号を削除したり、接続条件を変えることができるようにしても良い。
また、ユーザ端末１００の接続条件管理部１３０に記憶されている接続条件を、接続制御部１４０を介してＳＩＰプロキシサーバ４００に送信することができる。接続条件をＳＩＰプロキシサーバ４００が保持することにより、接続条件を参照して着呼ＯＫか否かを判断する処理をＳＩＰプロキシサーバ４００が行うようにすることができる。
さらに上述の実施の形態においては、第１の端末としての一時番号ユーザ端末１００と、第２の端末としての接続先ユーザ端末２００と、一時接続番号発行装置としてのＳＩＰアカウントサーバ３００と、ＳＩＰプロキシサーバとしてのＳＩＰプロキシサーバ４００と、一時接続番号要求手段としての番号登録部１２０と、一時接続番号を上記ＳＩＰプロキシサーバに登録する登録手段としての接続制御部１４０と、上記一時接続番号を上記第２の端末に通知する通知手段としての一時番号アプリ１１１と、上記一時接続番号を用いて上記ＳＩＰプロキシサーバ経由で上記第２の端末と通信を行う通信制御手段としての電話アプリ１１２と、上記ＳＩＰプロキシサーバ４００に登録された上記一時接続番号を削除する削除手段としての接続制御部１４０とによって一時接続番号管理システムを構成するようにした場合について述べたが、本発明はこれに限らず、その他種々の手段によって一時接続番号管理システムを構成するようにしても良い。
【産業上の利用可能性】
【０００８】
本発明の一時接続番号管理システム、端末、一時接続番号管理方法、および一時接続番号管理プログラムは、例えば固定電話機や携帯電話機に一時的な電話番号を付与する場合に適用することができる。
【図１】
2009017181.tif 000003
【図２】
2009017181.tif 000004
【図３】
2009017181.tif 000005
【図４】
2009017181.tif 000006
【図５】
2009017181.tif 000007
【図６】
2009017181.tif 000008
【図７】
2009017181.tif 000009
【図８】
2009017181.tif 000010
【図９】
2009017181.tif 000011
【国際調査報告】
2009017181.tif 000012
2009017181.tif 000013
2009017181.tif 000014
2009017181.tif 000015